【手続補正書】
【提出日】平成18年12月6日(2006.12.6)
【手続補正１】
【補正対象書類名】特許請求の範囲
【補正対象項目名】全文
【補正方法】変更
【補正の内容】
【特許請求の範囲】
【請求項１】
第１の複数の信号線を第２の複数の信号線に接続するシステムであって、
複数の回路ボードであって、それぞれの回路ボードは、前記回路ボードの端部におけるその一方の側の上の第１外側面、前記回路ボードの前記端部におけるその他方の側の上の第２外側面、および前記第１および第２外側面の少なくとも１つの上の前記第１信号線のサブセットと電気的に接触する第１の複数の接点を有し、それぞれの回路ボードはまた第１機械的アライメントフィーチャを含む、複数の回路ボード、および
前記複数の回路ボードの前記端部に対応し、それらを受け取るよう配置された複数のクランプアセンブリであって、それぞれのクランプアセンブリは、第１内側面、前記第１内側面と実質的に平行な第２内側面、および前記第１および第２内側面の少なくとも１つの上の前記第２信号線のサブセットと電気的に接触する第２の複数の接点を有し、それぞれのクランプアセンブリは第２機械的アライメントフィーチャを含む、複数のクランプアセンブリ を備え、
それぞれのクランプアセンブリの前記第２接点は、前記第１および第２機械的アライメントフィーチャの相互作用を通して前記対応する回路ボードの前記第１接点とアラインし、前記第１および第２接点間の電気的接続は、それぞれのクランプアセンブリの前記第１および第２内側面が、前記対応する回路ボードの前記第１および第２外側面にクランプされるときに形成され、それにより前記第１および第２信号線を電気的に接続する
システム。
【請求項２】
請求項１に記載のシステムであって、前記第１接点は、それぞれの回路ボードの前記第１および第２外側面の両方の上に設けられるシステム。
【請求項３】
請求項１に記載のシステムであって、前記第１機械的アライメントフィーチャは、前記第２機械的アライメントフィーチャを前記対応するクランプアセンブリ内で受け入れる少なくとも１つのスロットをそれぞれの回路ボード内に備えるシステム。
【請求項４】
請求項３に記載のシステムであって、前記第１機械的アライメントフィーチャは、それぞれの回路ボードの対向する端部において１つのスロットおよび１つのフラットを備えるシステム。
【請求項５】
請求項１に記載のシステムであって、それぞれのクランプアセンブリの前記第１および第２内側面は、前記第２接点および前記第２信号線を接続するそれぞれその中に埋め込まれた複数の導体を有する剛性のある回路ボードを備えるシステム。
【請求項６】
請求項１に記載のシステムであって、それぞれのクランプアセンブリの前記第１および第２内側面は、前記第２接点および前記第２信号線を接続するそれぞれその中に埋め込まれた複数の導体を有する可撓性の回路ボードを備えるシステム。
【請求項７】
請求項１に記載のシステムであって、前記コネクタアセンブリは、それぞれのクランプアセンブリの前記第１および第２内側面を互いに向けて押圧し、それにより前記第１および第２内側面を、前記対応する回路ボードの前記第１および第２外側面にクランプするように動作可能である複数のアクチュエータをさらに備えるシステム。
【請求項８】
請求項１に記載のシステムであって、前記第２接点は、それぞれのクランプアセンブリの前記第１および第２内側面の両方の上に設けられるシステム。
【請求項９】
請求項１に記載のシステムであって、それぞれのクランプアセンブリ上の前記第２機械的アライメントフィーチャは、前記対応する回路ボード上の前記第１機械的アライメントフィーチャと係合する少なくとも１つのアライメント部材を備えるシステム。
【請求項１０】
請求項９に記載のシステムであって、前記それぞれのアライメント部材は溝を備え、前記第１機械的アライメントフィーチャは前記対応する回路ボード内に少なくとも１つのスロットを備えるシステム。
【請求項１１】
請求項１に記載のシステムであって、それぞれのクランプアセンブリは、前記クランプアセンブリがそれによって前記コネクタアセンブリに固定される可撓性要素を備え、前記可撓性要素は、複数の自由度において前記クランプアセンブリが前記コネクタアセンブリに相対的に移動することを可能にするシステム。
【請求項１２】
請求項１に記載のシステムであって、前記複数の回路ボードは試験中のデバイス（ＤＵＴ）アセンブリ内で構成され、前記複数のクランプアセンブリはコネクタアセンブリ内に構成され、前記システムは、前記複数の回路ボードが前記複数のクランプアセンブリとアラインされるように前記ＤＵＴアセンブリおよび前記コネクタアセンブリをアラインさせるキネマティックアライメントシステムをさらに備えるシステム。
【請求項１３】
請求項１２に記載のシステムであって、前記キネマティックアライメントシステムは、前記ＤＵＴアセンブリ上の３つのキネマティックフィーチャ、および前記コネクタアセンブリ上の３つの対応するキネマティックアライメントフィーチャを備え、これらのそれぞれが、前記コネクタアセンブリおよび前記ＤＵＴアセンブリがドッキングされるときに、前記ＤＵＴアセンブリ上の前記キネマティックアライメントフィーチャのうちの１つと実質的に同時に接触するシステム。
【請求項１４】
請求項１２に記載のシステムであって、前記ＤＵＴおよびコネクタアセンブリのドッキングを促進する持ち上げメカニズムをさらに備えるシステム。
【請求項１５】
請求項１に記載のシステムであって、前記複数の回路ボードは試験中のデバイス（ＤＵＴ）ボード上で構成され、前記回路ボードは前記ＤＵＴボード上で半径方向に配置される、あるいは、前記ＤＵＴボード上で直線状パターンで配置されるシステム。
【請求項１６】
第１の複数の信号線を第２の複数の信号線に接続するシステムであって、
回路ボードであって、前記回路ボードの端部におけるその一方の側の上の第１外側面、前記回路ボードの前記端部におけるその他方の側の上の第２外側面、および前記第１および第２外側面の少なくとも１つの上の前記第１信号線のサブセットと電気的に接触する第１の複数の接点を有し、回路ボードはまた第１機械的アライメントフィーチャを含む、回路ボード、および
前記回路ボードの前記端部に対応し、それを受け取るよう配置されたクランプアセンブリを備えるコネクタアセンブリであって、前記クランプアセンブリは、第１内側面、前記第１内側面と実質的に平行な第２内側面、および前記第１および第２内側面の少なくとも１つの上の前記第２信号線のサブセットと電気的に接触する第２の複数の接点を有し、前記クランプアセンブリは第２機械的アライメントフィーチャを含む、コネクタアセンブリ
を備え、
前記クランプアセンブリの前記第２接点は、前記第１および第２機械的アライメントフィーチャの相互作用を通して前記回路ボードの前記第１接点とアラインし、前記第１および第２接点間の電気的接続は、前記クランプアセンブリの前記第１および第２内側面が、前記回路ボードの前記第１および第２外側面にクランプされるときに形成され、それにより前記第１および第２信号線を電気的に接続する
システム。
【請求項１７】
請求項１６に記載のシステムであって、前記第１接点は、前記回路ボードの前記第１および第２外側面の両方の上に設けられるシステム。
【請求項１８】
請求項１６に記載のシステムであって、前記第１機械的アライメントフィーチャは、前記第２機械的アライメントフィーチャを前記クランプアセンブリ内で受け入れる少なくとも１つのスロットを前記回路ボード内に備えるシステム。
【請求項１９】
請求項１８に記載のシステムであって、前記第１機械的アライメントフィーチャは、前記回路ボードの対向する端部において１つのスロットおよび１つのフラットを備えるシステム。
【請求項２０】
請求項１６に記載のシステムであって、前記クランプアセンブリの前記第１および第２の内側面は、前記第２接点および前記第２信号線を接続するそれぞれの中に埋め込まれた複数の導体を有する剛性のある回路ボードを備えるシステム。
【請求項２１】
請求項１６に記載のシステムであって、前記クランプアセンブリの前記第１および第２の内側面は、前記第２接点および前記第２信号線を接続するそれぞれの中に埋め込まれた複数の導体を有する可撓性のある回路ボードを備えるシステム。
【請求項２２】
請求項１６に記載のシステムであって、前記コネクタアセンブリは、前記クランプアセンブリの前記第１および第２内側面を互いに向けて押圧し、それにより前記第１および第２内側面を、前記回路ボードの前記第１および第２外側面にクランプするように動作可能である少なくとも１つのアクチュエータをさらに備えるシステム。
【請求項２３】
請求項１６に記載のシステムであって、前記第２接点は、前記クランプアセンブリの前記第１および第２内側面の両方の上に設けられるシステム。
【請求項２４】
請求項１６に記載のシステムであって、前記クランプアセンブリ上の前記第２機械的アライメントフィーチャは、前記回路ボード上の前記第１機械的アライメントフィーチャと係合する少なくとも１つのアライメント部材を備えるシステム。
【請求項２５】
請求項２４に記載のシステムであって、前記それぞれのアライメント部材は溝を備え、前記第１機械的アライメントフィーチャは前記回路ボード内に少なくとも１つのスロットを備えるシステム。
【請求項２６】
請求項１６に記載のシステムであって、前記コネクタアセンブリは、前記クランプアセンブリがそれによって前記コネクタアセンブリに固定される可撓性要素を備え、前記可撓性要素は、複数の自由度において前記クランプアセンブリが前記コネクタアセンブリに相対的に移動することを可能にするシステム。 
【請求項２７】
回路ボード上で第１の複数の接点を第２の複数の接点に接続するためのクランプアセンブリであって、前記回路ボードは、前記回路ボードの端部におけるその一方の側の上の第１外側面、および前記回路ボードの前記端部におけるその他方の側の上の第２外側面を有し、前記第２接点は、前記第１および第２外側面の少なくとも１つの上に配置され、前記回路ボードはまた、少なくとも１つの第１機械的アライメントフィーチャを含み、前記クランプアセンブリは、   第１内側面を有する第１アセンブリ、   前記第１内側面と実質的に平行な第２内側面を有する第２アセンブリ、   前記第１および第２内側面の少なくとも１つの上に配置された前記第１の複数の接点、ならびに   前記第２接点との前記第１接点のアライメントを促進するために前記回路ボード上の前記少なくとも１つの第１機械的アライメントフィーチャと連携して動作可能である少なくとも１つの第２機械的アライメントフィーチャ   を備え、   前記第１および第２アセンブリは、前記第１および第２内側面を前記第１および第２外側面にクランプするために、前記第１および第２内側面間の相対的な移動を可能にするように構成され、それにより前記第１および第２接点を電気的に接続する クランプアセンブリ。 
【請求項２８】
第１の複数の信号線を第２の複数の信号線に接続するシステムであって、
複数の第１の接点アレイを有する第１のアセンブリであって、それぞれの前記第１の接点アレイのそれぞれの接点は、前記第１の複数の信号線のなかの対応する１つと電気的に接触し、それぞれの前記第１の接点アレイは、第１機械的アライメントフィーチャを関連付けられる、第１のアセンブリ、および
複数の接点アセンブリを有する第２のアセンブリであって、それぞれの前記接点アセンブリは、少なくとも４つの自由度において前記第２のアセンブリに相対的に独立して動くように動作可能であるように、前記第２のアセンブリ内で懸架され、それぞれの前記接点アセンブリは、第２の接点アレイを関連付けられ、それぞれの前記第２の接点アレイ内のそれぞれの接点は、前記第２の複数の信号線のなかの対応する１つと電気的に接触し、それぞれの前記接点アセンブリは、第２機械的アライメントフィーチャを関連付けられる、第２のアセンブリ、
を備え、
それぞれの前記接点アセンブリの前記第２の接点アレイは、前記第１および第２機械的アライメントフィーチャの相互作用と、前記自由度の少なくとも一部の自由度における前記対応する接点アセンブリの動きとを通して、前記第１の接点アレイのなかの対応する１つとアラインするように動作可能である、
システム。
【請求項２９】
請求項２８に記載のシステムであって、それぞれの前記接点アセンブリは、６つの自由度において前記第２のアセンブリに相対的に独立して動くように動作可能であり、前記第１機械的アライメントフィーチャと前記第２機械的アライメントフィーチャと間の相互作用は、前記６つの自由度に対してそれぞれの前記接点アセンブリの動きを抑制する、システム。
【請求項３０】
請求項２８に記載のシステムであって、それぞれの前記接点アセンブリに関連付けられた前記第２の機械的アライメントフィーチャは、少なくとも１本のシャフトを有し、それぞれの前記第１の接点アレイに関連付けられた前記第１機械的アライメントフィーチャは、前記少なくとも１本のシャフトを受け取る少なくとも１つのレセプタクルを有する、システム。
【請求項３１】
請求項２８に記載のシステムであって、前記第２の信号線は、自動化された試験装置に関連付けられ、前記第１の信号線は、少なくとも１つの試験中のデバイスに関連付けられる、システム。
【請求項３２】
第１の複数の信号線を第２の複数の信号線に接続するインターフェースアセンブリであって、前記第１の複数の信号線は、複数の第１の接点アレイを有するプローブカードアセンブリと関連付けられ、それぞれの前記第１の接点アレイ内のそれぞれの接点は、前記第１の複数の信号線のなかの対応する１つと電気的に接触し、それぞれの前記第１の接点アレイは、第１機械的アライメントフィーチャを関連付けられ、前記インターフェースアセンブリは、
複数の接点アセンブリであって、それぞれの前記接点アセンブリは、少なくとも４つの自由度において前記第インターフェースアセンブリに相対的に独立して動くように動作可能であるように、前記インターフェースアセンブリ内で懸架され、それぞれの前記接点アセンブリは、第２の接点アレイを関連付けられ、それぞれの前記第２の接点アレイ内のそれぞれの接点は、前記第２の複数の信号線のなかの対応する１つと電気的に接触し、それぞれの前記接点アセンブリは、第２機械的アライメントフィーチャを関連付けられる、複数の接点アセンブリ
を備え、前記インターフェースアセンブリは、前記第１および第２機械的アライメントフィーチャの相互作用と、前記自由度の少なくとも一部の自由度における前記対応する接点アセンブリの動きとを通して、前記第１の接点アレイのなかの対応する１つとアラインするように動作可能である、
インターフェースアセンブリ。